(57)【要約】【課題】固体発光素子モジュールへの出力を、簡素化された回路構成で高精度に調整できる点灯回路を提供する。【解決手段】  固体発光素子モジュール（ＬＥＤモジュール２）に電流を出力する点灯回路１は、ＬＥＤモジュール２に電流を出力する電源部１１と、ＬＥＤモジュール２の発光特性を調整するための信号であって電源部１１の出力電流の目標値に対応した調整信号を出力する特性調整部１４と、特性調整部１４から出力された調整信号に応じて電源部１１の出力電流を調整する出力調整部１２とを備え、特性調整部１４は、最大抵抗値、最小抵抗値または抵抗値可変範囲が異なる可変抵抗素子１４１および１４２を備え、可変抵抗素子１４１および１４２の直列接続により規定された合成抵抗値に対応させて生成した調整信号を出力調整部１２に出力する。【選択図】図２
2016170969.tif 000002
【特許請求の範囲】
【請求項１】
固体発光素子モジュールに電流を出力する電源部と、
前記固体発光素子モジュールの発光特性を調整するための信号であって、前記電源部の出力電流の目標値に対応した調整信号を出力する特性調整部と、
前記特性調整部から出力された前記調整信号に応じて前記電源部の出力電流を調整する出力調整部とを備え、
前記特性調整部は、
最大抵抗値、最小抵抗値または抵抗値可変範囲が異なる複数の可変抵抗素子を備え、当該複数の可変抵抗素子の接続により規定された合成抵抗値に対応させて生成した前記調整信号を前記出力調整部に出力する
点灯回路。
【請求項２】
前記複数の可変抵抗素子は、直列接続されており、
前記特性調整部は、前記複数の可変抵抗素子のそれぞれの抵抗値の和である前記合成抵抗値に対応させて生成した前記調整信号を前記出力調整部に出力する
請求項１に記載の点灯回路。
【請求項３】
前記複数の可変抵抗素子は、並列接続されており、
前記特性調整部は、前記複数の可変抵抗素子のそれぞれの抵抗値の逆数の和の逆数である前記合成抵抗値に対応させて生成した前記調整信号を前記出力調整部に出力する
請求項１に記載の点灯回路。
【請求項４】
前記複数の可変抵抗素子は、抵抗値の大きい順である、第１可変抵抗素子〜第ｎ可変抵抗素子（ｎは自然数）で構成され、
第ｋ可変抵抗素子（ｋは１〜（ｎ−１）の自然数）の最大抵抗値は、第（ｋ＋１）可変抵抗素子の最大抵抗値の１０倍以上である
請求項２または３に記載の点灯回路。
【請求項５】
前記複数の可変抵抗素子のうちの一の可変抵抗素子は、
互いに異なる抵抗値を有する複数の抵抗素子とスイッチ素子とを備え、
外部入力に応じて前記スイッチ素子が前記複数の抵抗素子のうちの一の抵抗素子を選択することにより、当該一の抵抗素子の抵抗値が前記一の可変抵抗素子の抵抗値となる
請求項１〜４のいずれか１項に記載の点灯回路。
【請求項６】
前記特性調整部は、前記複数の可変抵抗素子のそれぞれの抵抗値を変化させるための外部入力の操作方法が異なる２つの可変抵抗素子を有する
請求項１〜５のいずれか１項に記載の点灯回路。
【請求項７】
請求項１〜６のいずれか１項に記載の点灯回路を備える
照明器具。
【請求項８】
請求項７に記載の照明器具と、
前記固体発光素子モジュールとを備える
照明セット。
【請求項９】
前記複数の可変抵抗素子は、前記照明セットの表面に、隣り合うように配置されている
請求項８に記載の照明セット。
【請求項１０】
前記複数の可変抵抗素子は、
抵抗値を粗調整する粗調用可変抵抗素子と、
前記粗調用可変抵抗素子よりも抵抗調整範囲が狭くかつ抵抗値分解能が高い微調用可変抵抗素子とを備え、
前記微調用可変抵抗素子は、前記粗調用可変抵抗素子に比べて、前記複数の可変抵抗素子のそれぞれの抵抗値を変化させるための外部入力の操作性が高い箇所に配置されている
請求項８に記載の照明セット。
【発明の詳細な説明】
【技術分野】
【０００１】
本発明は、ＬＥＤ（Ｌｉｇｈｔ  Ｅｍｉｔｔｉｎｇ  Ｄｉｏｄｅ）などの固体発光素子を備えた固体発光素子モジュールに電流を供給する点灯回路およびこれを備える照明器具、ならびに、照明セットに関する。
【背景技術】
【０００２】
ＬＥＤなどの固体発光素子に電流を供給する点灯回路が知られている（例えば、特許文献１）。特許文献１に開示された照明装置では、全点灯状態および調光下限のそれぞれにおいて、ＬＥＤへの出力電流値の変動を防止する構成が開示されている。
【０００３】
図８は、特許文献１に記載された照明装置の概略構成を示すブロック回路図である。図８に示すように、照明装置５００は、バックコンバータ５１０、電源回路６２１、調光制御回路６２２、全点灯用可変抵抗素子６２３ａ、調光下限用可変抵抗素子６２３ｂ、全点灯用抵抗切り替え素子６２４ａ、調光下限用抵抗切り替え素子６２４ｂ、力率改善回路６２５、ＬＥＤ５２６、および調光信号用抵抗素子６２７を備える。上記構成において、調光信号レベルが高い場合、全点灯用抵抗切り替え素子６２４ａを導通させ、全点灯用可変抵抗素子６２３ａを操作することでＬＥＤ５２６への供給電流を調整する。一方、調光信号レベルが低い場合、調光下限用抵抗切り替え素子６２４ｂを導通させ、調光下限用可変抵抗素子６２３ｂを操作することでＬＥＤ５２６への供給電流を調整する。これにより、全点灯状態から調光下限までにおける点灯の安定性が向上する。
【先行技術文献】
【特許文献】
【０００４】
【特許文献１】特開２０１３−１２５６１６号公報
【発明の概要】
【発明が解決しようとする課題】
【０００５】
しかしながら、特許文献１に記載された照明装置の場合、全点灯状態および調光下限状態のそれぞれにおいて、１つの可変抵抗素子を操作することで出力調整しているため、供給電流を線形的にしか調整できない。ＬＥＤの発光特性は、配光分布、色度、および演色性など多岐にわたるため、非線形的な調整を含む高精度な電流の出力調整が必要となる。これに対して、デジタルＩＣなどを用いて高精度に調光信号を調整することが想定されるが、ＤＡ変換器やメモリなどが必要となり処理回路が煩雑および高価なものとなってしまう。
【０００６】
本発明は、このような問題を解決するためになされたものであり、固体発光素子モジュールへの出力を、簡素化された回路構成で高精度に調整できる点灯回路、照明器具および照明セットを提供することを目的とする。
【課題を解決するための手段】
【０００７】
上記目的を達成するために、本発明に係る点灯回路の一態様は、固体発光素子モジュールに電流を出力する電源部と、前記固体発光素子モジュールの発光特性を調整するための信号であって、前記電源部の出力電流の目標値に対応した調整信号を出力する特性調整部と、前記特性調整部から出力された前記調整信号に応じて前記電源部の出力電流を調整する出力調整部とを備え、前記特性調整部は、最大抵抗値、最小抵抗値または抵抗値可変範囲が異なる複数の可変抵抗素子を備え、当該複数の可変抵抗素子の接続により規定された合成抵抗値に対応させて生成した前記調整信号を前記出力調整部に出力する。
【発明の効果】
【０００８】
本発明によれば、固体発光素子モジュールへの出力を、簡素化された回路構成で高精度に調整できる点灯回路、照明器具および照明セットを提供することができる。
【図面の簡単な説明】
【０００９】
【図１】実施の形態１に係る点灯回路およびＬＥＤモジュールの概略回路図である。
【図２】実施の形態１に係る点灯回路の具体的構成を示す回路図である。
【図３】実施の形態１の変形例１に係る点灯回路の具体的構成を示す回路図である。
【図４】実施の形態１の変形例１に係る可変抵抗素子の構成例を示す図である。
【図５】実施の形態１の変形例２に係る可変抵抗素子の構成例を示す図である。
【図６Ａ】実施の形態２に係る照明セットの外観斜視図である。
【図６Ｂ】実施の形態２の変形例１に係る照明セットの外観斜視図である。
【図７】実施の形態２の変形例２に係る照明セットの外観斜視図である。
【図８】特許文献１に記載された照明装置の概略構成を示すブロック回路図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
［１−１．点灯回路およびＬＥＤモジュールの構成］
まず、実施の形態１に係る点灯回路およびＬＥＤモジュールの構成について図面を用いて説明する。
【００１３】
図１は、実施の形態１に係る点灯回路１およびＬＥＤモジュール２の概略回路図である。
【００１４】
ＬＥＤモジュール２は、点灯回路１から電流を供給されることにより照明光を出射する光源部であり、ＬＥＤ２１を備える。ＬＥＤ２１は、ＬＥＤモジュール２の光源として用いられる固体発光素子である。ＬＥＤ２１は、例えば、表面実装（ＳＭＤ：Ｓｕｒｆａｃｅ  Ｍｏｕｎｔ  Ｄｅｖｉｃｅ）型ＬＥＤ素子で構成される。
【００１５】
点灯回路１は、ＬＥＤモジュール２に電流を供給する回路であり、電源部１１と、出力調整部１２と、制御電源１３と、特性調整部１４とを備える。
【００１６】
電源部１１は、ＬＥＤモジュール２に一定の直流電流を供給する回路である。
【００１７】
出力調整部１２は、電源部１１の出力電流を検出し、検出された出力電流と特性調整部１４から出力された調整信号とに基づいて、電源部１１の出力電流を調整する回路である。
【００１８】
制御電源１３は、特性調整部１４に一定電圧を印加する回路である。
【００１９】
特性調整部１４は、ＬＥＤモジュール２の発光特性を調整するための外部入力を受け付け、当該外部入力に対応した調整信号を出力調整部１２へ出力する回路である。具体的には、特性調整部１４は、最大抵抗値、最小抵抗値または抵抗値可変範囲が異なる可変抵抗素子１４１および１４２を備え、可変抵抗素子１４１と１４２との接続により規定された合成抵抗値に対応させて生成した上記調整信号を出力調整部１２へ出力する。
【００２０】
可変抵抗素子１４１および１４２を備える特性調整部１４の構成により、電源部１１の出力電流の目標値に対応した調整信号を高精度に設定することが可能となる。よって、簡素化された点灯回路１の回路構成で調光レベルを高精度に調整できる。
【００２１】
［１−２．点灯回路の具体的構成］
図２は、実施の形態１に係る点灯回路１の具体的構成を示す回路図である。なお、図２には、点灯回路１と併せて、点灯回路１に電力を供給する交流電源３およびＬＥＤモジュール２も示されている。
【００２２】
交流電源３は、交流電圧を出力する電源であり、例えば１００Ｖ〜２４２Ｖの交流電圧を出力する商用電源などの系統電源である。
【００２３】
図２に示されるように、点灯回路１は、電源部１１と、出力調整部１２と、制御電源１３と、特性調整部１４とを備える。また、点灯回路１は、出力端子１０１および１０３を備える。
【００２４】
出力端子１０１および１０２は、それぞれ、ＬＥＤモジュール２の接続端子２２１および２２３に電気的に接続され、ＬＥＤモジュール２に電流を出力するための端子である。
【００２５】
電源部１１は、ＬＥＤモジュール２に一定の直流電流を供給する回路である。本実施の形態では、電源部１１は、交流電源３から入力された交流電圧を直流電圧に変換し、さらに、ＤＣ／ＤＣ変換を行うことによって、一定の直流電流を生成する。図２に示されるように、電源部１１は、整流部１１１、コンデンサ１１２および１１６、スイッチング素子１１３、ダイオード１１４、インダクタ１１５、ならびに、抵抗素子１１７を備える。
【００２６】
整流部１１１は、交流電源３から入力される交流電圧を整流する回路である。整流部１１１は、例えば、ダイオードブリッジで構成される。
【００２７】
コンデンサ１１２は、整流部１１１の出力端子に接続され、整流部１１１から出力された直流電圧の脈動を平滑化するための素子である。また、コンデンサ１１２の両端には、スイッチング素子１１３およびダイオード１１４から構成される直列回路が接続される。本実施の形態では、コンデンサ１１２は、電解コンデンサで構成される。
【００２８】
スイッチング素子１１３は、出力調整部１２からの制御の下でスイッチングする（オンおよびオフを繰り返す）素子であり、本実施の形態では、インダクタ１１５と直列に接続されるＮチャネル型のＭＯＳＦＥＴ（Ｍｅｔａｌ−Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ）である。
【００２９】
ダイオード１１４は、ＬＥＤモジュール２内のＬＥＤ２１およびインダクタ１１５とともに回路ループを構成し、インダクタ１１５に蓄積されたエネルギーを回生させる整流器である。ダイオード１１４のカソード端子は、スイッチング素子１１３とインダクタ１１５との接続点に接続され、アノード端子は、整流部１１１の低電位側の出力端子に接続される。また、ダイオード１１４の両端には、インダクタ１１５およびコンデンサ１１６から構成される直列回路が接続される。
【００３０】
インダクタ１１５は、チョークコイルであり、スイッチング素子１１３のスイッチングに応じてエネルギーを蓄積および放出する。
【００３１】
コンデンサ１１６は、ＬＥＤ２１と並列に接続され、インダクタ１１５などで発生する脈流電圧を平滑化する素子である。本実施の形態では、コンデンサ１１６は、電解コンデンサで構成される。
【００３２】
抵抗素子１１７は、ＬＥＤ２１と直列に接続され、ＬＥＤ２１に流れる電流、すなわち、電源部１１の出力電流を検出するためのセンス抵抗である。
【００３３】
出力調整部１２は、電源部１１の抵抗素子１１７に印加される電圧を検出することにより、電源部１１の出力電流を検出し、検出された出力電流に基づいて電源部１１の出力電流をフィードバック制御する回路である。さらに、出力調整部１２は、特性調整部１４から出力された調整信号に基づいて、電源部１１の出力電流を調整する。図２に示されるように、出力調整部１２は、駆動回路１２１と比較器１２２とを備える。
【００３４】
駆動回路１２１は、スイッチング素子１１３にオン及びオフを繰り返させる（スイッチングさせる）制御をする回路である。駆動回路１２１の制御によって、電源部１１の出力電流がほぼ一定に維持される。
【００３５】
比較器１２２は、電源部１１の出力電流に対応する電圧と、特性調整部１４から出力された当該出力電流の目標値に対応する電圧とを比較する回路である。比較器１２２の反転入力端子には、電源部１１の抵抗素子１１７に印加される電圧が入力される。また、比較器１２２の非反転入力端子には、特性調整部１４で生成された、電源部１１の出力電流の目標値に対応する電圧が入力される。また、比較器１２２の出力は、駆動回路１２１に入力される。
【００３６】
制御電源１３は、特性調整部１４に一定の電圧Ｖｃｃを印加する回路である。図２に示されるように、制御電源１３は、抵抗素子１３１およびツェナーダイオード１３２を備える。
【００３７】
抵抗素子１３１は、ツェナーダイオード１３２に流れる電流を制限するための素子である。
【００３８】
ツェナーダイオード１３２は、特性調整部１４に印加される電圧を安定化させるための素子である。ツェナーダイオード１３２の両端に印加される電圧は、例えば、１５Ｖ程度である。
【００３９】
特性調整部１４は、点灯回路１からＬＥＤモジュール２に供給される電流を調整するための外部入力を受け付け、当該外部入力に基づいた調整信号を出力調整部１２へ出力する回路である。ここで、外部入力とは、例えば、電源部１１の出力電流の目標値を表す入力であり、調整信号とは、電源部１１の出力電流の目標値に対応する電圧に相当する。図２に示されるように、特性調整部１４は、可変抵抗素子１４１および１４２、ダイオード１４３、抵抗素子１４４、ならびにコンデンサ１４５を備える。
【００４０】
ダイオード１４３は、制御電源１３に向かって電流が流れることを防ぐための整流素子である。
【００４１】
可変抵抗素子１４１および１４２、ならびに抵抗素子１４４は、制御電源１３から印加される電圧を分圧するための素子である。可変抵抗素子１４１と可変抵抗素子１４２とは、抵抗素子１４４およびコンデンサ１４５の接続点とグランド端子との間において、直列接続されている。可変抵抗素子１４１と抵抗素子１４４との接続点は、出力調整部１２の比較器１２２の非反転入力端子に接続される。これにより、当該接続点に、電源部１１の出力電流の目標値に対応する電圧Ｖｉｎが印加される。
【００４２】
コンデンサ１４５は、調整信号である電圧Ｖｉｎに印加されるノイズを抑制するための素子である。
【００４３】
特性調整部１４が上述のように構成されることにより、調整信号である電圧Ｖｉｎは、以下の式１で表される。
Ｖｉｎ＝Ｖｃｃ×（Ｒ１４１＋Ｒ１４２）／（Ｒ１４１＋Ｒ１４２＋Ｒ１４４）    （式１）
【００４４】
つまり、特性調整部１４は、直列接続された可変抵抗素子１４１および１４２の抵抗値の和である合成抵抗値Ｒ１４Ｖ（＝Ｒ１４１＋Ｒ１４２）に対応した調整信号である電圧Ｖｉｎを、出力調整部１２に出力する。
【００４５】
上記回路構成により、点灯回路１は、外部入力に基づいた調整信号である電圧Ｖｉｎを特性調整部１４から出力調整部１２に出力させることにより、電源部１１の出力電流に対応する電圧が電圧Ｖｉｎとほぼ等しくなるように、フィードバック制御する。
【００４６】
ここで、本実施の形態に係る点灯回路１において、可変抵抗素子１４１と可変抵抗素子１４２とは、直列接続されており、最大抵抗値、最小抵抗値または抵抗値可変範囲が異なっている。調整信号である電圧Ｖｉｎが、可変抵抗素子１４１および１４２の合成抵抗値Ｒ１４Ｖにより設定されることにより、例えば１つの可変抵抗素子により電圧Ｖｉｎを設定する場合と比較して、電圧Ｖｉｎの設定分解能が向上する。つまり、電源部１１の出力電流の目標値を高精度に設定することが可能となるので、調光レベルの微調整が可能となる。また、上記合成抵抗値を変更することでＬＥＤモジュール２の幅広い仕様変更に対応できるため、点灯回路自体を交換して当該仕様変更に対応しなければならない機会を低減できる。また、点灯回路１で多種類のＬＥＤモジュール２の出力仕様に対応できるので、点灯回路の量産コストを低減できる。
【００４７】
上記構成において、可変抵抗素子１４１および１４２は、トリマー調整部を有するポテンショメータが例示される。外部入力者が可変抵抗素子１４１および１４２の各トリマー調整部を独立に操作することにより、電圧Ｖｉｎの線形的な調整だけでなく、配光分布、色度、および演色性などを複合したＬＥＤの発光特性に対応した非線形的な調整が可能となる。
【００４８】
なお、可変抵抗素子１４２は、可変抵抗素子１４１の最大抵抗値の１／１０以下の最大抵抗値を有してもよい。これにより、可変抵抗素子１４１および１４２の合成抵抗値を、可変抵抗素子１４１の抵抗調整により粗調整し、可変抵抗素子１４２の抵抗調整により微調整することが可能となる。つまり、上記合成抵抗値を高精度に調整できるので、高精度な調整信号である電圧Ｖｉｎを設定することが可能となる。
【００４９】
また、本実施の形態では、可変抵抗素子１４１および１４２を直列接続したが、可変抵抗素子１４１および１４２は、抵抗素子１４４およびコンデンサ１４５の接続点とグランド端子との間に、互いに並列接続されてもよい。これにより、例えば１つの可変抵抗素子により電圧Ｖｉｎを設定する場合と比較して、電圧Ｖｉｎの設定分解能が向上する。
【００５０】
また、可変抵抗素子１４１および１４２が並列接続された構成の場合、可変抵抗素子１４２は、可変抵抗素子１４１の最大抵抗値の１／１０以下の最大抵抗値を有してもよい。この場合には、可変抵抗素子１４１および１４２の合成抵抗値を、可変抵抗素子１４２の抵抗調整により粗調整し、可変抵抗素子１４１の抵抗調整により微調整することが可能となる。つまり、上記合成抵抗値を高精度に調整できるので、高精度な調整信号である電圧Ｖｉｎを設定することが可能となる。
【００５１】
また、本実施の形態では、特性調整部１４が有する可変抵抗素子は２つであるが、３つ以上であってもよい。特性調整部１４が有する可変抵抗素子の数が多いほど、より高精度な調光レベルの調整が可能となる。
【００５２】
また、ｎ（ｎは３以上の自然数）個の可変抵抗素子が直列接続された構成において、例えば、抵抗値の大きい順に、第１可変抵抗素子、第２可変抵抗素子、・・・、第ｎ可変抵抗素子であるとする。この場合、第ｋ可変抵抗素子（ｋは１〜（ｎ−１）の自然数）の最大抵抗値は、第（ｋ＋１）可変抵抗素子の最大抵抗値の１０倍以上であってもよい。これによれば、合成抵抗値を約ｎ桁の精度で設定でき、可変抵抗素子の数に応じて電圧Ｖｉｎを高精度に設定することが可能となる。
【００５３】
また、ｎ（ｎは３以上の自然数）個の可変抵抗素子が並列接続された構成において、例えば、抵抗値の大きい順に、第１可変抵抗素子、第２可変抵抗素子、・・・、第ｎ可変抵抗素子であるとする。この場合、第ｋ可変抵抗素子（ｋは１〜（ｎ−１）の自然数）の最大抵抗値は、第（ｋ＋１）可変抵抗素子の最大抵抗値の１０倍以上であってもよい。これによれば、合成抵抗値を約ｎ桁の精度で設定でき、可変抵抗素子の数に応じて電圧Ｖｉｎを高精度に設定することが可能となる。
【００５４】
［１−３．点灯回路の変形例］
次に、実施の形態１の変形例１に係る点灯回路について説明する。本変形例に係る点灯回路１Ａにおいては、上記実施の形態に係る点灯回路１と比較して、複数の可変抵抗素子の構成が異なる。以下、本変形例に係る点灯回路１Ａについて、点灯回路１と相違する構成を中心に説明し、共通する構成については説明を省略する。
【００５５】
図３は、実施の形態１の変形例１に係る点灯回路１Ａの具体的構成を示す回路図である。なお、図３には、点灯回路１Ａと併せて、点灯回路１Ａに電力を供給する交流電源３およびＬＥＤモジュール２も示されている。
【００５６】
図３に示されるように、点灯回路１Ａは、電源部１１と、出力調整部１２と、制御電源１３と、特性調整部１５とを備える。
【００５７】
特性調整部１５は、点灯回路１ＡからＬＥＤモジュール２への出力電流を調整するための外部入力を受け付け、当該外部入力に基づいた調整信号を出力調整部１２へ出力する回路である。ここで、外部入力とは、例えば、電源部１１の出力電流の目標値を表す入力であり、調整信号とは、電源部１１の出力電流の目標値に対応する電圧に相当する。図３に示されるように、特性調整部１５は、可変抵抗素子１５１および１５２、ダイオード１４３、抵抗素子１４４、ならびにコンデンサ１４５を備える。
【００５８】
可変抵抗素子１５１および１５２、ならびに抵抗素子１４４は、制御電源１３から印加される電圧を分圧するための素子である。可変抵抗素子１５１と可変抵抗素子１５２とは、抵抗素子１４４およびコンデンサ１４５の接続点とグランド端子との間において、直列接続されている。可変抵抗素子１５１と抵抗素子１４４との接続点は、出力調整部１２の比較器１２２の非反転入力端子に接続される。これにより、当該接続点に、電源部１１の出力電流の目標値に対応する電圧Ｖｉｎが印加される。
【００５９】
特性調整部１５が上述のように構成されることにより、調整信号である電圧Ｖｉｎは、以下の式２で表される。
Ｖｉｎ＝Ｖｃｃ×（Ｒ１５１＋Ｒ１５２）／（Ｒ１５１＋Ｒ１５２＋Ｒ１４４）    （式２）
【００６０】
つまり、特性調整部１５は、直列接続された可変抵抗素子１５１および１５２の抵抗値の和である合成抵抗値Ｒ１５Ｖ（＝Ｒ１５１＋Ｒ１５２）に対応した調整信号である電圧Ｖｉｎを、出力調整部１２に出力する。
【００６１】
上記回路構成により、点灯回路１Ａは、外部入力に基づいた調整信号である電圧Ｖｉｎを特性調整部１５から出力調整部１２に出力させることにより、電源部１１の出力電流に対応する電圧が電圧Ｖｉｎとほぼ等しくなるように、フィードバック制御する。
【００６２】
ここで、本実施の形態に係る点灯回路１Ａにおいて、可変抵抗素子１５１と可変抵抗素子１５２とは、直列接続されており、最大抵抗値、最小抵抗値または抵抗値可変範囲が異なっている。調整信号である電圧Ｖｉｎが、複数の可変抵抗素子１５１および１５２の合成抵抗値Ｒ１５Ｖにより設定されることにより、例えば１つの可変抵抗素子により電圧Ｖｉｎを設定する場合と比較して、電圧Ｖｉｎの設定分解能が向上する。つまり、電源部１１の出力電流の目標値を高精度に設定することが可能となるので、調光レベルの微調整が可能となる。また、上記合成抵抗値を変更することでＬＥＤモジュール２の幅広い仕様変更に対応できるため、点灯回路自体を交換して当該仕様変更に対応しなければならない機会を低減できる。また、点灯回路１Ａで多種類のＬＥＤモジュール２の出力仕様に対応できるので、点灯回路の量産コストを低減できる。
【００６３】
可変抵抗素子１５１は、抵抗素子１５１Ａ、１５１Ｂ、１５１Ｃおよび１５１Ｄと、スイッチ素子１５１Ｓとを備える。可変抵抗素子１５１の一方の端子には、スイッチ素子１５１Ｓの一方の端子が接続され、可変抵抗素子１５１の他方の端子には、抵抗素子１５１Ａ〜１５１Ｄの各一方の端子が接続されている。スイッチ素子１５１Ｓは、可変抵抗素子１５１の一方の端子と抵抗素子１５１Ａ〜１５１Ｄの各一方の端子のいずれかとを導通させる機能を有する。上記構成により、外部入力者の操作に応じて、スイッチ素子１５１Ｓが抵抗素子１５１Ａ〜１５１Ｄのうちの一の抵抗素子を選択することにより、当該一の抵抗素子の抵抗値が可変抵抗素子１５１の抵抗値となる。
【００６４】
可変抵抗素子１５２は、抵抗素子１５２Ａ、１５２Ｂ、１５２Ｃおよび１５２Ｄと、スイッチ素子１５２Ｓとを備える。可変抵抗素子１５２の一方の端子には、スイッチ素子１５２Ｓの一方の端子が接続され、可変抵抗素子１５２の他方の端子には、抵抗素子１５２Ａ〜１５２Ｄの各一方の端子が接続されている。スイッチ素子１５２Ｓは、可変抵抗素子１５２の一方の端子と抵抗素子１５２Ａ〜１５２Ｄの各一方の端子のいずれかとを導通させる機能を有する。上記構成により、外部入力者の操作に応じて、スイッチ素子１５２Ｓが抵抗素子１５２Ａ〜１５２Ｄのうちの一の抵抗素子を選択することにより、当該一の抵抗素子の抵抗値が可変抵抗素子１５２の抵抗値となる。
【００６５】
外部入力者が可変抵抗素子１５１のスイッチ素子１５１Ｓおよび可変抵抗素子１５２のスイッチ素子１５２Ｓを操作することにより、可変抵抗素子１５１および１５２の抵抗値が、それぞれ選択される。これにより、電圧Ｖｉｎの線形的な調整だけでなく、配光分布、色度、および演色性などを複合したＬＥＤの発光特性に対応した非線形的な調整が可能となる。
【００６６】
図４は、実施の形態１の変形例１に係る可変抵抗素子１５１および１５２の構成例を示す図である。同図に示されたロータリースイッチ１５１Ｒは、可変抵抗素子１５１を具現化したものであり、３つの抵抗素子１５１Ａ〜１５１Ｃと１つのスイッチ素子１５１Ｓとを備える。また、ロータリースイッチ１５２Ｒは、可変抵抗素子１５２を具現化したものであり、３つの抵抗素子１５２Ａ〜１５２Ｃと１つのスイッチ素子１５２Ｓとを備える。また、例えば、抵抗素子１５１Ａ〜１５１Ｃの各抵抗値を、抵抗素子１５２Ａ〜１５２Ｃの各抵抗値の１／１０程度に設定しておく。これにより、例えば、ロータリースイッチ１５１Ｒの操作により、上記電流（ｍＡ）の百の位を、３、４、５のいずれかに選択できる。また、ロータリースイッチ１５２Ｒの操作により、上記電流（ｍＡ）の十の位を、３、５、７のいずれかに選択できる。
【００６７】
上記構成において、ＬＥＤモジュール２に供給される電流を３５０ｍＡに変更したい場合を想定する。この場合、外部入力者が、図４に示された選択操作部を操作する（矢印の向きを調整する）ことにより、例えば、ロータリースイッチ１５１Ｒでは抵抗素子１５１Ａが選択され（矢印の先が「３」に向けられる）、ロータリースイッチ１５２Ｒでは抵抗素子１５２Ｂが選択される（矢印の先が「５」に向けられる）。
【００６８】
これにより、可変抵抗素子１５１および１５２の合成抵抗値を、可変抵抗素子１５１の抵抗調整により粗調整し、可変抵抗素子１５２の抵抗調整により微調整することが可能となる。つまり、高精度な合成抵抗値により、高精度な調整信号である電圧Ｖｉｎを設定することが可能となる。
【００６９】
また、本変形例では、可変抵抗素子１５１および１５２を直列接続したが、可変抵抗素子１５１および１５２は、抵抗素子１４４およびコンデンサ１４５の接続点とグランド端子との間に、互いに並列接続されてもよい。これにより、例えば１つの可変抵抗素子により電圧Ｖｉｎを設定する場合と比較して、電圧Ｖｉｎの設定分解能が向上する。
【００７０】
また、可変抵抗素子１５１および１５２が並列接続された構成の場合、可変抵抗素子１５２は、可変抵抗素子１５１の最大抵抗値の１／１０以下の最大抵抗値を有してもよい。この場合には、可変抵抗素子１５１および１５２の合成抵抗値を、可変抵抗素子１５２の抵抗調整により粗調整し、可変抵抗素子１５１の抵抗調整により微調整することが可能となる。つまり、高精度な合成抵抗値により、高精度な調整信号である電圧Ｖｉｎを設定することが可能となる。
【００７１】
また、本変形例に係る点灯回路１Ａでは、実施の形態に係る点灯回路１と同様に、特性調整部が有する可変抵抗素子は２つであるが、３つ以上であってもよい。特性調整部が有する可変抵抗素子の数が多いほど、より高精度な調光レベルの調整が可能となる。点灯回路１Ａにおける可変抵抗素子が３つ以上ある場合の接続構成およびその効果は、点灯回路１における可変抵抗素子が３つ以上ある場合の接続構成およびその効果と同様である。
【００７２】
［１−４．可変抵抗素子の構成例］
図５は、実施の形態１の変形例２に係る可変抵抗素子の構成例を示す図である。同図には、本実施の形態に係る点灯回路１または１Ａに適用可能な可変抵抗素子の構成例が示されている。
【００７３】
図５の左側に示すように、可変抵抗素子１６１は、例えば、ボタンを上下方向に摺動させることにより、２つの抵抗素子のいずれか一方を選択的に接続するスライドスイッチ型の素子である。可変抵抗素子１６１は、異なる抵抗値を有する２つの抵抗素子と摺動スイッチ素子とで構成される。外部入力者が、可変抵抗素子１６１をスライド操作させることにより、可変抵抗素子１６１の抵抗値を変化させることが可能となる。
【００７４】
一方、図５の右側に示すように、可変抵抗素子１６２は、可変抵抗素子１６２の抵抗値を調整する抵抗調整部を有している。抵抗調整部とは、例えば、可変抵抗素子１６２の抵抗値を、時計ドライバなどによりアナログ的に調整できるトリマー調整部である。外部入力者が、上記抵抗調整部を、時計ドライバなどにより操作することにより、可変抵抗素子１６２の抵抗値を変化させることが可能となる。
【００７５】
上記のような外部入力のための操作方法が異なる２つの可変抵抗素子１６１および１６２を、特性調整部１４の抵抗素子１４４およびコンデンサ１４５の接続点とグランド端子との間に、直列接続してもよい。
【００７６】
これにより、可変抵抗素子１６１および１６２の合成抵抗値を、可変抵抗素子１６１の抵抗調整により粗調整し、可変抵抗素子１６２の抵抗調整により微調整することが可能となる。つまり、上記合成抵抗値を高精度に調整できるので、高精度な調整信号である電圧Ｖｉｎを設定することが可能となる。
【００７７】
なお、本実施の形態に係る複数の可変抵抗素子は、可変抵抗素子１６１および１６２に、さらに、変形例１に係るロータリースイッチ型の可変抵抗素子１５１または１５２を組み合わせてもよい。また、ロータリースイッチ型の可変抵抗素子、スライドスイッチ型の可変抵抗素子、およびトリマー調整型の可変抵抗素子を任意に組み合わせてもよい。
【００７８】
［１−５．効果など］
以上のように、本実施の形態に係る点灯回路１は、ＬＥＤモジュール２に電流を出力する電源部１１と、ＬＥＤモジュール２の発光特性を調整するための信号であって、電源部１１の出力電流の目標値に対応した調整信号を出力する特性調整部１４と、特性調整部１４から出力された調整信号に応じて電源部１１の出力電流を調整する出力調整部１２とを備える。特性調整部１４は、最大抵抗値、最小抵抗値または抵抗値可変範囲が異なる複数の可変抵抗素子１４１および１４２を備え、可変抵抗素子１４１および１４２の接続により規定された合成抵抗値に対応させて生成した調整信号を出力調整部１２に出力する。
【００７９】
これにより、特性調整部１４が電源部１１の出力電流の目標値に対応した調整信号を高精度に生成し、当該調整信号に応じて電源部１１からＬＥＤモジュール２へ高精度に電流を出力することが可能となる。よって、簡素化された点灯回路１の回路構成で調光レベルを高精度に調整できる。
【００８０】
また、本実施の形態に係る点灯回路１において、可変抵抗素子１４１および１４２は、直列接続されており、特性調整部１４は、可変抵抗素子１４１および１４２の抵抗値の和である合成抵抗値に対応させて生成した調整信号を出力調整部１２に出力してもよい。
【００８１】
また、本実施の形態に係る点灯回路１において、可変抵抗素子１４１および１４２は、並列接続されており、特性調整部は、可変抵抗素子１４１および１４２のそれぞれの抵抗値の逆数の和の逆数である合成抵抗値に対応させて生成した調整信号を出力調整部１２に出力してもよい。
【００８２】
これらにより、調整信号が、可変抵抗素子１４１および１４２の合成抵抗値Ｒ１４Ｖにより生成されるので、１つの可変抵抗素子により調整信号を生成する場合と比較して、調整信号の精度（分解能）が向上する。つまり、電源部１１の出力電流の目標値を高精度に設定することが可能となるので、調光レベルの微調整が可能となる。また、上記合成抵抗値を変更することでＬＥＤモジュール２の幅広い仕様変更に対応できるため、点灯回路１自体を交換して当該仕様変更に対応しなければならない機会を低減できる。また、点灯回路１で多種類のＬＥＤモジュール２の出力仕様に対応できるので、点灯回路１の量産コストを低減できる。
【００８３】
また、本実施の形態に係る点灯回路１において、複数の可変抵抗素子は、抵抗値の大きい順である、第１可変抵抗素子〜第ｎ可変抵抗素子（ｎは自然数）で構成され、第ｋ可変抵抗素子（ｋは１〜（ｎ−１）の自然数）の最大抵抗値は、第（ｋ＋１）可変抵抗素子の最大抵抗値の１０倍以上であってもよい。
【００８４】
これにより、複数の可変抵抗素子が互いに直列接続されている場合には、複数の可変抵抗素子の合成抵抗値を、第ｋ可変抵抗素子の抵抗調整により粗調整し、第（ｋ＋１）可変抵抗素子の抵抗調整により微調整することが可能となる。また、複数の可変抵抗素子が互いに並列接続されている場合には、複数の可変抵抗素子の合成抵抗値を、第（ｋ＋１）可変抵抗素子の抵抗調整により粗調整し、第ｋ可変抵抗素子の抵抗調整により微調整することが可能となる。つまり、高精度な合成抵抗値により、高精度な調整信号を設定することが可能となる。なお、合成抵抗値は、約ｎ桁の精度で設定でき、可変抵抗素子の数に応じて調整信号を高精度に設定することが可能となる。
【００８５】
また、本実施の形態に係る点灯回路１Ａにおいて、可変抵抗素子１５１は、互いに異なる抵抗値を有する複数の抵抗素子１５１Ａ〜１５１Ｄとスイッチ素子１５１Ｓとを備え、可変抵抗素子１５２は、互いに異なる抵抗値を有する複数の抵抗素子１５２Ａ〜１５２Ｄとスイッチ素子１５２Ｓとを備え、外部入力に応じてスイッチ素子１５１Ｓおよび１５２Ｓが、それぞれ、複数の抵抗素子１５１Ａ〜１５１Ｄのうちの一の抵抗素子および複数の抵抗素子１５２Ａ〜１５２Ｄのうちの一の抵抗素子を選択することにより、当該一の抵抗素子の抵抗値が可変抵抗素子１５１および１５２の抵抗値となってもよい。
【００８６】
これにより、外部入力者が可変抵抗素子１５１のスイッチ素子１５１Ｓおよび可変抵抗素子１５２のスイッチ素子１５２Ｓを操作することにより、可変抵抗素子１５１および１５２の抵抗値が、それぞれ選択される。これにより、調整信号の線形的な調整だけでなく、配光分布、色度、および演色性などを複合したＬＥＤの発光特性に対応した非線形的な調整が可能となる。
【００８７】
また、本実施の形態に係る点灯回路１において、特性調整部１４は、可変抵抗素子の抵抗値を変化させるための外部入力の操作方法が異なる２つの可変抵抗素子１６１および１６２を有してもよい。
【００８８】
これにより、可変抵抗素子１６１および１６２の合成抵抗値を、例えば、可変抵抗素子１６１の抵抗調整により粗調整し、可変抵抗素子１６２の抵抗調整により微調整することが可能となる。つまり、上記合成抵抗値を高精度に調整できるので、高精度な調整信号を設定することが可能となる。
【００８９】
（実施の形態２）
［２−１．照明セットの構成］
図５Ａは、実施の形態２に係る照明セットの外観斜視図である。図５Ａに示すように、本変形例に係る照明セット５は、実施の形態１に係る点灯回路１を有しており、照明本体５０と、照明器具５１とを備える。
【００９０】
照明本体５０は、照明セット５の発光部であり、カバー部材の内側にＬＥＤモジュール２を有している。
【００９１】
照明器具５１は、照明セット５のベースとなる部材であり、例えばボルトおよびナット等により天井に固定される。照明器具５１には、照明本体５０が着脱可能に取り付けられる。また、照明器具５１の端部にコネクタ５２が設けられており、外部の交流電源３が当該コネクタ５２を経由して照明器具５１に配置された点灯回路１へと供給される。
【００９２】
ここで、図５Ａに示されるように、点灯回路１が有する可変抵抗素子１４１および１４２は、特性調整部１４において直列接続され、照明本体５０の表面に、隣り合うように配置されている。具体的には、可変抵抗素子１４１および１４２は、照明本体５０の長手方向における中央部の傾斜面（非発光部）に、隣り合うように配置されている。
【００９３】
可変抵抗素子１４１および１４２は、それぞれ、抵抗値を調整する抵抗調整部を有している。抵抗調整部とは、例えば、図５Ａに示すように、可変抵抗素子１４１および１４２の抵抗値を、時計ドライバなどの操作により調整できるトリマー調整部である。
【００９４】
これにより、可変抵抗素子１４１および１４２が、照明セット５の表面に配置されているので、外部入力者の操作性が向上する。また、可変抵抗素子１４１および１４２が、隣り合って配置されているので、可変抵抗素子１４１および１４２を交互に操作する場合などにおいて、外部入力者の操作性が向上する。
【００９５】
［２−２．照明セットの変形例１］
図５Ｂは、実施の形態２の変形例１に係る照明セットの外観斜視図である。図５Ｂに示すように、本変形例に係る照明セット６は、実施の形態１に係る点灯回路１を有しており、照明本体６０と、照明器具６１とを備える。
【００９６】
照明本体６０は、照明セット６の発光部であり、カバーの内側にＬＥＤモジュール２を有している。
【００９７】
照明器具６１は、照明セット６のベースとなる部材であり、例えばボルトおよびナット等により天井に固定される。照明器具６１には、照明本体６０が着脱可能に取り付けられる。また、照明器具６１の端部にコネクタ６２が設けられており、外部の交流電源３が当該コネクタ６２を経由して照明器具６１に配置された点灯回路１へと供給される。
【００９８】
ここで、図５Ａに示されるように、点灯回路１が有する可変抵抗素子１４１は、例えば、抵抗値を粗調整する可変抵抗素子であり、可変抵抗素子１４２は、可変抵抗素子１４１よりも抵抗調整範囲が狭くかつ抵抗値分解能が高い微調用の可変抵抗素子である。また、微調用の可変抵抗素子１４２は、照明本体６０の長手方向における中央部の傾斜面（非発光部）に配置され、粗調用の可変抵抗素子１４１は、照明器具６１の表面であって、照明セット６の長手方向の端部に配置されている。つまり、微調用の可変抵抗素子１４２は、粗調用の可変抵抗素子１４１に比べて、照明セット６の表面のうち時計ドライバなどによる外部入力の操作性が高い箇所に配置されている。一方、粗調用の可変抵抗素子１４１は、微調用の可変抵抗素子１４２に比べて、外部入力の操作性は低いが外観を損なわない（視認性の低い）箇所に配置されている。
【００９９】
これにより、照明セット６の外観において可変抵抗素子１４１が目立たなくなり、また、外部入力者が微調用の可変抵抗素子１４２を調整する場合の操作性が向上する。よって、照明セット６の意匠性を向上させつつ可変抵抗素子１４１および１４２の合成抵抗値をより高精度に調整することが可能となる。
【０１００】
［２−３．照明セットの変形例２］
図７は、実施の形態２の変形例２に係る照明セットの分解斜視図である。図７に示すように、本変形例に係る照明セット４は、ＬＥＤモジュール２Ｅと、照明器具４Ｂとを備える。照明器具４Ｂは、上記各実施の形態に係る点灯回路１または１Ａと、ＬＥＤモジュール２を接続するためのソケット（図示せず）を備える。本実施の形態では、照明器具４Ｂはダウンライトであり、当該点灯回路を収納し、かつ、ＬＥＤモジュール２Ｅを装着する灯体４１から構成される。また、ＬＥＤモジュール２Ｅは、ＬＥＤモジュール２と同様の回路を収納し、照明器具４Ｂのソケットに接続するためのプラグを外面に備える筐体２５０から構成される。
【０１０１】
このような照明器具４Ｂは、実施の形態１に係る点灯回路１または１Ａを備えるので、上記各実施の形態および各変形例と同様の効果を奏することができる。
【０１０２】
（変形例など）
以上、本発明に係る点灯回路、照明器具および照明セットについて、実施の形態および変形例に基づいて説明したが、本発明は、これらの実施の形態および変形例に限定されるものではない。
【０１０３】
例えば、上記実施の形態および変形例において、ＬＥＤ２１は、ＳＭＤ型ＬＥＤ素子で構成されたが、これに限定されない。例えば、ＬＥＤ２１として、基体に実装されたＬＥＤチップそのものが採用されてもよい。
【０１０４】
また、上記実施の形態および変形例において、固体発光素子としてＬＥＤ２１を用いたが、有機ＥＬ（Ｅｌｅｃｔｒｏ  Ｌｕｍｉｎｅｓｃｅｎｃｅ）素子など他の固体発光素子を用いてもよい。
【０１０５】
その他、各実施の形態および変形例に対して当業者が思いつく各種変形を施して得られる形態、または、本発明の趣旨を逸脱しない範囲で各実施の形態および変形例における構成要素及び機能を任意に組み合わせることで実現される形態も本発明に含まれる。
【符号の説明】
【０１０６】
１、１Ａ    点灯回路
２、２Ｅ    ＬＥＤモジュール（固体発光素子モジュール）
４、５、６    照明セット
４Ｂ、５１、６１    照明器具
１１    電源部
１２    出力調整部
１４、１５    特性調整部
１４１、１４２、１５１、１５２、１６１、１６２    可変抵抗素子
１５１Ａ、１５１Ｂ、１５１Ｃ、１５１Ｄ、１５２Ａ、１５２Ｂ、１５２Ｃ、１５２Ｄ    抵抗素子
１５１Ｓ、１５２Ｓ    スイッチ素子
【図１】
2016170969.tif 000003
【図２】
2016170969.tif 000004
【図３】
2016170969.tif 000005
【図４】
2016170969.tif 000006
【図５】
2016170969.tif 000007
【図６Ａ】
2016170969.tif 000008
【図６Ｂ】
2016170969.tif 000009
【図７】
2016170969.tif 000010
【図８】
2016170969.tif 000011